(57)【要約】  逆流可並びに同動作を梃として活用することで機械運動力を生成する可動液体物質に変換でき、水力発電の機械運動力の機械的な生産、または経済に効果を永久的にもたらし、環境に優しく世界全体のエネルギー問題解決に十分な機械運動力の需要を満たすエネルギーニーズに多角的に使用でき、水槽 (7)である、重力を活用した相互連続協調作用を持つ単独システムで実現した特定の機械アクセサリで構成される、圧搾の比重流体水力学的張力の利用方法を生成できるピストン室水力比重エンジンは、海、湖、池や人工容器、シリンダー室 (15) やピストン室 (Ｉ) の液体物質の中に入ります。これらは、停滞する比重流体水力学的張力を、ピストン室 （Ｉ）を相互作用させる水力比重可動作用強度に対して変動、均質および中和させます。密封ベッセルクランクカムシャフト (8) が、システムピストン室水力比重エンジン機能の活路を生成し、ピストン室 (I)の相互作用の動作を多目的に使用できる回転の動作に変換する実施形態のシステムにする場合に刺激剤として作用します。ここでは、ピストン室水力比重エンジンが機能するために、導管 (19) の水力比重作用強度がピストン室 (I)の水力比重作用強度以下になることが必要です。そこでは、シリンダー室(15) のトランクに密封固定した導管 (19) がピストン室の B.D.C.  (1 相互作用の動作下になり、クランク (11) の直径がピストン室 (1) の相互作用の動作をする、T.D.C. と B.D.Cの間の1期間の距離よりおおよそで短くなることが必要です。また、ピストン室がシリンダー室(15)領域内部から圧搾の比重流体水力学的張力の範囲内で相互作用の動作をする各期間のT.D.C と B.D.C.にある場合、ディスクバルブ (2) とディスクバルブ (17) が同時開閉することが必要となる。
2012523526.tif 000002
【特許請求の範囲】
【請求項１】
システムを構成する方法は重力を利用して圧搾の比重流体水力学停滞張力を変換することで作業の機械運動力を生成し、重力を交互に中和および均質させる可動力の無限エネルギー源に変換し、そこでは、同時に、その機能を梃として使用することで（上述の生成された）水力比重の稼働作用強度を利用し、以下の特徴のある、タ目的な要求で機械運動作用強度を生成する。
ａ．ピストン室水力比重エンジンと呼称する重力駆動の機械システム
ｂ．協調的な調整を相互作用的に連続して行うことで単一機械システムに組み込み、海、湖、池や人工水槽や水貯蔵庫等の自然流域を満たす大量の停滞する液体物質内に保持される液体物質の停滞比重流体水力学的張力を重力の自然志向速度方向に作用する、または平衡させる水力比重の作用強度に変換でき、同時に、多目的使用の機械運動作業を生成できる力梃として利用する、可動および非可動部分のある特定アクセサリを設計および組み立てることができる。
ｃ．4重（ピストン室のシリンダー室）ピストン室水力比重エンジンの技術的な工学を構成する方法の機能。
【請求項２】
請求２のピストン室水力比重エンジンは、以下の特徴のある協調調整を相互連続して行う可動および非可動部分から構成される組込み特定アクセサリの１つの実施例を構成する。
ａ．請求２の懸案アクセサリである、特定の場合に完全密封され、特定の場合に半密封される水槽(7)。
ｂ．請求２のシリンダー室(15)波動変換分離装置懸案アクセサリ。
ｃ．請求２のシリンダー室(15)の懸案アクセサリである、バルブ室(16)。
ｄ．請求２のバルブ室(16)のディスクバルブ(17)懸案アクセサリ。
ｅ．請求２のバルブ室(16)懸案アクセサリのディスクバルブ(17)のディスクバルブ(17)懸案部分を有効にする油圧ギア(18)。
ｆ．請求２のシリンダー室(15)懸案アクセサリの導管(19)部分アクセサリ。
ｇ．シリンダー室(15)の特定アクセサリ実施例のメカニズムを動かすピストン室(1)は、上部は、請求２の常時密封差し込みされている懸案アクセサリの上下逆さのバケツのようである。
ｈ．請求２のピストン室(1)アクセサリの土台(5)特定アクセサリの実施例。
ｉ．請求２のピストン室(1)アクセサリのピンシャフト(6)実施例部分。
ｊ．請求２のピストン室(1)アクセサリのディスクバルブ(2)実施例の部分。
ｋ．請求２のピストン室(1)懸案アクセサリの部品による、ディスクバルブ(2)を稼働させる油圧ギア(3)。
ｌ．請求２の容器クランクカムシャフト室(8)懸案アクセサリ、
ｍ．請求２の容器クランクカムシャフト室(8)懸案アクセサリの携帯カバー(29)懸案部分。
ｎ．請求２の容器クランクカムシャフト室(8)懸案アクセサリのベアリング(10)懸案部分付きクランクカムシャフト土台。
ｏ．請求２の容器クランクカムシャフト室(8)懸案アクセサリのクランクカムシャフト(9)懸案部分。
ｐ．請求２の容器クランクカムシャフト室(8)懸案アクセサリの油圧ポンプ(14)懸案部分。
ｑ．油圧ポンプ(14)が請求２のピストンポンプ(14)とギア(3)および(18)実施例のアクセサリのディスクギアを有効にする油圧パイプ(13)と(20)。
ｒ．請求２のピストン室(1)とクランクカムシャフト(9)実施例のアクセサリの接続棒(4)懸案部分。
【請求項３】
以下の特徴のある、単一ピストン室水力比重エンジンの係数、協調の対応実施形態に共通組込みされる特定アクセサリの指定および調節を決定する請求１の方法。
ａ．適切な3次元形状に特定形成された液体物質内に保持された圧搾の比重流体水力学内外張力内に常時浸透している稼働および非可動係数の実施例のアクセサリ付きシリンダー室(15)は、上述シリンダー室が支持レッグまたはサイドガーダーで固定されている3次元形状ノ水槽(7)と形状が同様の内部領域を満たす。
ｂ．ピストンモーターのピストンのように上述のピストン室(15)の内部領域内に密封相互作用できる接続棒(4)がクランクに突出する上述のシリンダー室(15)内で調整した、可動および非可動係数の実施例のアクセサリ付き）ピストン室(1)特定アクセサリ。
ｃ．（底部外側が上述の水槽(7)の上部に密封固定されている可動および非可動係数係数の実施例のアクセサリ付き）上述の容器クランクカムシャフト室(8)特定アクセサリ実施例で、上述クランクカムシャフト室底部の開口部では、直径寸法が均等の上部外部側面付きシリンダー室(15)は、上述の水槽(7)内で垂直下向きに延びている上述のシリンダー室トランクの残り部分に調整、密封固定されている。
ｄ．請求２の上述の水槽(7)懸案アクセサリでは、3次元ｊ形状は液体物質の3次元形状と同様な形状となり、ピストン室水力比重エンジンの懸案梃として作用できる、水槽(7)の内部領域を満たす。
【請求項４】
ピストン室水力比重エンジンと呼称する単一機械システムの実施例に組み込まれた特定機械アクセサリ構成の差の間で作用規定順の調整はこれまで、実現する作用順序の力を協調させる各特定アクセｓりの相互作用を連続させる、請求1の（ピストン室水力比重エンジンの技術的な工学を構成する）方法の嘆願によって調整されてきた。
ａ．上述のアウトレット導管(19)の内部領域合計は、どのくらいの数であっても、上述のピストン室(1)の内部エイラ以下であることが必要で、そのため、上述のピストン室(1)に含まれる液体の比重の水力比重作用強度は、上述のピストン室(1)の内部の密封絶縁液体物質の比重圧力より常時少ない、上述の導管(19)に副案レル液体の比重力の水力比重作用強度を超える。 したがって、ピストン室(1)のディスクバルブ(2)下のシリンダー室の波動変換分離装置(15)内部領域内にある液体物質の第3部分に圧力をかける2つの水力比重コンポーネント圧力差により、上述のピストン室(1)は水槽(7)の液体レベルと均衡する導管(19)上部から、水槽(7)にシリンダー室(15)の液体物質を強制的に戻すことができる。
ｂ．上述のクランク (11)のトラック円(21)の直径の長さは、シリンダー室波動変換分離装置(15)内の各期間の動作のピストン室(1)の上下相互作用の距離の長さより少し短い必要がある。
ｃ．上述のピストン室(1)の外壁または上述のピストン室(1)の垂直壁の一部、および上述のシリンダー室波動変換分離装置(15)の内部垂直壁は、上述のピストン室(1)の垂直外壁とシリンダー室波動変換分離装置(15)の間の摩擦許容が完全なように上述のピストン室(1)が密封して相互作用できるように、しっかりと回転して研磨され、上述のディスクバルブ(2)下の上述のシリンダー室(15)内にある水が、上述のピストン室(1)の上部密封差込み側上にある、シリンダー室(15)の上部に漏れることがなく、またその間、ピストン室(1)が（ピストンモーターのピストンが相互作用するように）密封して簡単に相互作用できるようにできる。
ｄ．導管底部側がシリンダー室(15)で調整され、密封固定されている領域は1次期間のピストン室(1)の相互作用の動作が終了する底部中心点となる B.D.C. (25)、2番目のピストン室の相互作用の動作がシリンダー室(15)内ではじまる領域の下にある。
ｅ．上述のピストン室(1)のディスクバルブ(2)およびバルブ室(1)のディスクバルブ(17)は両方とも、シリンダー室(15)内部領域内から圧搾の比重流体水力学的張力から浸透がはじまり、クランク(11)がおおよそ１８０°トラックにあり、シリンダー(15)の垂直内部側で密封調整されるピストン室(1)底部垂直側がB.D.C.(25)に到達するので、相互作用の動作のピストン室(11)の2次期間のはみめの1分の数秒ですぐに開き、導管(19)の底部は、シリンダー室(15)で密封調整されるか、または、シリンダー室(15)内部領域内から圧搾の比重流体水力学的張力から浸透がはじまり、クランク(11)がおおよそ３６０°トラックにあり、シリンダー(15)の垂直内部側で密封調整されるピストン室(1)上部垂直側がT.D.C.(24)に到達するので、相互作用の動作のピストン室(11)の1次期間のはじめの1分の数秒ですぐに閉じ、そこでは常時密封差込みされたピストン室(11)の上部はピストン室水力比重エンジンの梃として作用する水槽(7)内の液体物質貯蔵の表面レベルにほとんど近くなる。
ｆ．形成中の上述水槽(7)では、3次元形状の絶縁パネルフレームが、同様に、液体物質の3次元形状を形成し、水力比重作用強度（重力と液体で混合）懸案の梃を、技術的なシステムピストン室水力比重エンジンの梃として使用される、要求に十分見合う圧搾の比重流体水力学的張力に変換できる、懸案の梃として使用された水槽(7)内部領域を満たす。
ｇ．液体物質の上述の3次元形状の形成は水槽(7)内部を満たし、そこでは、ときどき、ピストン室水力比重エンジン専用の梃として作用するか、それ以外はときどき、梃が使用され、自然流域の液体物質内に存在する圧搾の比重流体水力学的張力、水嘔気は、水槽が潮位の一部である海、湖または池に含まれる液体物質の圧搾の内外張力の水コントローラとして使用され、底部は、不要な物体や水棲生命の侵入から内部領域を保護するネットグリルを保護することで、閉じられる。
ｈ．容器クランクカムシャフト室(8)密封状態は、技術的なシステムピストン室水力比重エンジン機能には必要となる。
【請求項５】
以下を特徴とする、請求１の方法で技術的に工学した、請求2のピストン室水力比重エンジンを構成する１つの実施例の技術システムとして作用する実施例部分で構成される特定アクセサリの連続相互作用協調のコースの連続手順および相互作用機能。
ａ．壁が、重力作用強度が風発する水力比重の作用強度を、請求2のピストン室水力比重エンジンの懸案の梃として機能するのに適切な、要求中の圧搾の比重流体水力学的張力に変換するか、またはときどき、ピストン室水力比重エンジンの梃使用されるところでは海、湖、池や人工貯蔵所等の自然流域の液体物質内にある圧搾の比重流体水力学的張力で、水槽は、比重流体水力学圧搾の上下張力のコントローラとして使用する。
ｂ．水槽(7)の内部領域を満たす液体物質内にあり、生成される比重流体水力学圧搾内で常時浸透するシリンダー室(15)で、シリンダー室(15)は常時、その一部を取り外し、圧搾の均衡した比重流体水力学停滞張力が3次元容量に比例して、シリンダー室(15)波動変換分離装置の外壁上に作用強度をかけ、それにより現在、水槽(7)の圧搾の比重流体水力学的張力が、シリンダー室(15)の外壁力をかける水力比重張力になる。
ｃ．ディスクバルブ (2)と(17) -ピストン室 (1)が各相互作用の動作の B.D.C. 領域に到達したとき、両方が開き、圧搾の比重流体水力学的張力を重力の方向と反対に移動する、液体物質の水力比重可動力の水力比重作用強度に変換し、またこの方法で、空気が満たされ、ピストン室(1)の差込み側上にある、シリンダー室(15)の3次元の内部領域に比例して、ピストン室(1)の常時密封差込みされた上部の下で開いたバルブ(17)と(2)から作用強度を適用するカウンター重力は生成され、この結果、ピストン室(1)はその差込み上部が水槽(7)を満たす液体物資のレベルとほぼ等しくなるまで、重力方向に相対する表面に戻り、ピストン室水力比重エンジンの梃として使用され、そこでは、この機能のこの段階で、ピストン室の2次期間の相互作用の動作が実現し、またその結果、一方がピンシャフト(6)に突出し、互いにクランクに突出している、各接続棒により、ピストン室(1)の情報の動作の回転中、クランクを動作の各トラックの３６０°に回転させ、そこでは次に、クランク(11)がクランクカムシャフト(9)を３６０°に回転させ、次に、カム(12)が回転し、ピストンポンプ(14)を開放する、また、ピストン室(1)の2次期間のピストン室の水力比重エンジンで、カム(2)はピストンポンプ(14)のピストンを押し出し、ディスクバルブ(2)と(17)を支え、両方が開き、ピストンポンプ(14)のピストンの開放により、最後がバルブギア(3)と(18)に作用強度をかけないようになり、その中にあるスプリングはディスクバルブ(2)と(17)両方を、シリンダー室(15)内でピストン室の相互作用の動作の1次期間が明らかにはじまったところで、1分の数秒以内にすぐに閉じるようにさせる。
ｄ．ディスクバルブ(17)のクロージャは、シリンダー室(15)、ピストン室(1)内に構成される動作のない圧搾の比重流体水力学的張力を分離し、液体物質の合計質量とあわせて存在する、停滞した圧搾の水力比重流体水力学的張力からの導管(19)は水槽(7)を満たし、導管(19)の内部領域を満たす液体物質の水力比重作用強度が、重力作用強度の均等方向を適用し、圧搾の比重流体水力学停滞張力はシリンダー室(15)のピストン室(1)内部領域内に存在する。
ｅ．ディスクバルブ(2)のクロージャは、動作のない圧搾の比重流体水力学的張力を分離して密封し、ピストン室(1)の内部領域内で未ぷうして絶縁する。そこでは、ピストン室(1)ディスクバルブ(2)下の内部シリンダー室(15)領域内にある液体物質上に、作用強度をかける液体物質の比重力に等しい、水力比重作用強度に変換する。また、そこでは、同様に、重力が、導管(19)の内部領域を満たす液体物質上に力をかけるため、それを比重流体水力学的張力上に作用強度をかける水力比重作用強度に変換し、ディスバルブ(2)下にある液体物質内に存在し、また、そのため、3つ目の力をかけるカウンター作用強度が2つある。1つ目は、ピストン室(1)の水力比重作用強度で、2つ目は、導管(19)内にある液体物質に作用強度をかける重力である。水力比重作用強度に変換し、次に、停滞比重流体水力学作用強度の3つ目に作用量をかけ、そこで、請求1の方法のように、導管(19)水力比重の作用強度を超える水う重力別力として作用する、シリンダー室(15)内で下向きに降下するピストン室(1)の水力比重である、これらの中和作用強度の均衡を調整し、また、ディスクバルブ(2)下のシリンダー室(15)の比重流体水力学停滞圧搾では、後者は、導管(19)内部領域から（水槽の内部領域を満たす液体物質の同じレベルである）導管(19)上部から水槽(7)に戻るようにし、同時に、ピストン室(1)はシリンダー室(15)から水槽(7)の内部領域を満たす圧搾の比重流体水力学的張力内で浸透し、各接続棒(4)により、クランクを１８０°トラック円に引き出し、この段階では、請求1の方法は、ピストン室(1)の浸透を支えるクランク(11)を回転させ、また、同時に、クランク(11)はクランクカムシャフト(9)を１８０°回転させ、後者はカム(12)を回転させ、次にピストンポンプ(14)のピストンを押し、さらにパイプ(13)と(20)から、ギア(3)と(18)によりディスクバルブ(2)と(17)が1分の数秒以内にすぐに開くようにする空気または液体を送り込む。この結果、水槽(7)の液体物質はピストン室(2)とシリンダー室(15)の液体物質を、重力コースに中和する実際力に対して組み合わせ、1つの結合した水力比重作用強度がピストン室(1)の密封差込みした側の内部に、重力に中和する作用強度を適用し、シリンダー室(15)内で、2次期間のピストン(1)の相互作用の動作を繰り返す。
【請求項６】
以下を特徴とする、請求１の現在の方法で技術的に工学されている、マルチピストン室水力比重エンジンに属する請求２の3重、トリプルピストン室シリンダー室の水力比重エンジンの技術的システム。
ａ．圧搾の比重流体水力学停滞張力を連続作用強度に変換し、重力に均質作用およびカウンター作用させる、最初の水力比重作用強度を、ピストン室(1)の常時密封プラグ差し込み側上のシリンダー室(15)の内部領域内で水真空領域を生成し、またピストン室(1)の常時密封差込み上部上にある、シリンダー室(15)内で生成された液体の真空領域を満たす重力コースに抵抗する2番目の水力比重作用強度は、マルチピストン室水力比重エンジン機能の技術的な工学により、この上述の水真空は代替的に、空白のままになり、結果として、重力水力比重作用強度に均等作用およびカウンター作用することで押し出されるピストン室は、共通の容器クランクカムシャフト室(8)、共通のクランクシャフト(9)、共通の水槽(7)を使用することで永久に相互作用し、またギアホイール同期してまとめたクランクカムシャフトを多く使用し、この方法で、圧搾の比重流体水力学的張力内で生成、永久に保持された水真空領域の生成がシリンダー室内のピストン室の同期連続機能により実現する。
ｂ．水槽にある、最初の時期のピストン室(1)は、比重流体水力学圧搾内の相互作用の動作のはじまりで、最初のシリンダー室(15)の内部領域内から、2番目のピストン室(1)は水槽(7)内にある比重流体水力学圧搾内の2次期間の相互作用の動作のはじまりで、2番目のシリンダー室(15)内部領域内から、3番目のピストン室(1)は、水槽(7)内にある比重流体水力学圧搾内の2次期間の相互作用の動作の終わりである。3番目のシリンダー室(15)の内部領域内から、4つ目のピストン室(1)は、水槽(7)内にある比重流体水力学圧搾内の1次期間の相互作用の動作の終わりであり、2つ目のシリンダー室(15)の内部領域内から、4重、トリプルピストン室のシリンダー室水力比重エンジンのタイミングの同期は、1-2-3-4である。マルチピストン室のシリンダー室水力比重エンジンに属する、すべて4重、トリプルピストン室のシリンダー室水力比重エンジンは異なることがあり、上述のピストンシリンダー室の水力比重エンジンの同期化により、圧搾の比重流体水力学的張力内の水真空領域内に永久に生成され、またこの方法で永久に、水力比重はシリンダー室を、永久にシリンダー室内からの相互作用動作に押し出す。
【発明の詳細な説明】
【技術分野】
【０００１】
現在の発明は、特徴的な、語源となるピストン室水力比重エンジンで多目的に使用する大小各容量の機械運動作業を生成する技術システムを運用する方法に関係する。ここで、ピストン室（通常のピストンモーターのピストンの代わり）は水力比重に変換して重力を活用し、特に、水力比重作用強度および自然と生成される流域または液体物質が含まれる人工生成容器の固体壁の静的抵抗との組み合わせに自然と結び付く液体上で作用する力に重力が適用される場合に後で機能梃として使用、この作用の水力比重の組み合わせを、3つの反対適用力から構成され、前述のとおり、自然流域または人工コンテナの壁となる重力、液体物質および固体物質からの静的抵抗である、力の圧搾生成物の液体張力内外の停滞した比重流体水力学的組み合わせに変換する。 実際、現在の発明は、実施形態システムの技術工学を構成し、可動および不可動部が付いた特定機械アクセサリから構成され、またはピストン室水力比重エンジンという相互作用の機械的な順序で（ピストンエンジン作用として）あわせて茶道する、つまり室はピストンのように見え、相互作用手順で、停滞したバルク液体物質を有効化して使用し、大小各容量の機械運動作用を、海、湖、池や人工容器に密封された沈滞した液体の圧搾内外の「比重流体水力学」のゼロ生成物を活用することで、特徴的な、語源となるピストン室水力比重エンジンにより生成する、真新しい方法に関係する。それを、重力にしたがって、および対抗して均質、中和させる、可動水力比重に変換する。そこでは、以前の場所に残留しピストン室水力比重エンジンの技術システムのピストン室を、比重流体水力学、沈滞圧搾内外に、再生可能エネルギーの無限のソースを同時に生成でき、およびエンジン力を要する作業の必要性を多角的に満たすことができる、シリンダー室から、これまでにないもっとも経済的な方法で移動させるので、次に、海、湖、池や人工の水槽を連続して逆流させる。ピストン室水力比重エンジンは、世界のいたるところにある元の無限のエネルギー源から自動的に作用し、その構築費用はもっとも低くなる。また、梃として使用する材料は、ピストン室水力比重エンジンが茶道に物理または非ブル地材料を消費せず、汚染物や廃棄物を生成して環境を汚染したり破損したりせず、あるいは物理作用条例を地球から奪わないため、もっとも豊富で費用が化ならない。文字どおり、ピストン室水力比重エンジンの技術工学システムを構成する方法の現在の発明は、通常ピストンモーターのほとんどがそうであるように、単一ピストン室または複数ピストン室の水力比重エンジンになりうる生きた組織の機械的な模倣として作用する。
【背景技術】
【０００２】
科学データにしたがって明らかに、エネルギー生成技術の現代の既存技法は、自然可動水力を活用することで、水力を水電力またはその他携帯の機械作動力に変換する。この慣行により、同分野の専門家らは、2050年まで自然可動水力は世界全体で必要とされる全エネルギー生成の（優しく言って）おおよそ20％も生成できないと結論づける。
【０００３】
分かりやすく言えば、これまで、水電力生産の現代技術は自然可動水に限られてきたため、水電力発電所は自然可動水がある遠隔地に設置されている。したがって、明らかに、既知のとおり、エネルギー消費が必要な市町村やその他地域に伝送する長距離電線の構築するために、電気を長距離運搬する技術が必要となる。そのため経費がかさむ。さらには、川の水電力ダムが、発電所の上流および下流両方で周囲の生態系を破壊する。そこでは明らかに、魚が産卵地に近づけないようになることで魚の数量が減少する結果、環境問題が出る。加えて、他のマイナス要因の中で、水電力ダムの建設により、貯蔵地が計画される地域を住まいとする住民が移動せざるを得なくなる。
【０００４】
2008年2月の統計では、世界全体でほぼ８千万人が住居を移動していると推定される。
【０００５】
このダム建設の慣行の直接的な影響として、移住した人工に霊的な価値を持つ、先祖の文化遺産にこだわりのある歴史的に重要な場所が水没し、永久に失われる。
【０００６】
大型ダムの失敗は、何百および何千という人々の命を奪い、何百万という人たちの住まいを奪う原因となる。また、ダムは、戦時、テロや破壊行為中は爆発的なエネルギー消費に晒される。
【０００７】
地質的に不適切な場所でのダム建設は地震発生時に災害の原因ともなる。
【０００８】
河川の流れが減少することで、水電力発電機は、降水量が少ない年間で激減する、分水嶺の降水に依存しているため、水電力発電に重度に依存している地域では電力不足に苛まれる。
【０００９】
明らかに、再生可能エネルギーが果たす役割は重要ではあっても、海面の波や潮流エネルギーから得られるエネルギー生産力は、さまざまな技術問題がこの方向の進行の妨害となり、海や湖の水力発電の力の活用には限りがあるため、エネルギー需要を満たすことはできない。
【００１０】
再生可能または非再生可能ソースを活用するほとんどの既存の技術方法は明らかに、環境に影響を与え、変化させ、世界の安全や生活水準を犠牲にして、地球の自然機能、基盤や地球の住民に悪影響をもたらしている。
【００１１】
過去30年から40年間、あるいは国際経済協会に向け、ピエール・ミレー、ダグラス・ハーグおよびクリス・ローランドが編集した「エネルギー源間の選択経済」以来、再生可能エネルギーの専門家は、かなりの努力を払ったにもかかわらず、通常の非再生可能エネルギー源への代替物1つに辿りついていない。
【００１２】
再生可能エネルギー源を活用することで、エネルギー生産において、商業および産業的に微々たる進歩があっただけである。また、世界は
限りがあり、エネルギーニーズの大半を購うだけ長い期間持たない非再生可能エネルギーに大いに依存している。
【００１３】
このため、当社のジオソーラー中心スターシステムは、本当に困窮に深く入っていく。不幸にも、各種オイル、水蒸気、核またはその他エンジンを有効にする梃として構成、使用される物質をへのクすることで、液体、気体または固体の天然材料形成の貴重な天然の炭化水素の商品に依存し続けるエネルギーを生成してしまうという既存の最新状態のため、コスモロジカルにこの慣行は人間が生活する地上の乱用になる。宇宙論の特性は、人間の創造を超えて作用することの確認が必要である。
【００１４】
過去の長い履歴データから導き出される調査や結論により、太陽および宇宙風が生物圏に突入し、微粒子の各近似結合が重力形成の発生地になるので、生体の最初のプラズマを光合成する重力＝バーライトを生成するとすぐに、その粒子と衝突するので、微粒子のミクロフラグメントの排出は、炭化水素粒子の同軸回転により生成されることが分かっている。
【００１５】
梃として沈滞したバルク液体物質の比重流体水力学圧搾の張力を使用するピストン室水力比重エンジンの現在の発明の発明者は地球は太陽の周りを完全な円で公転しているが、星の背景により楕円になっていると結論付ける。 地球が太陽の周りを公転し、同時に、太陽の曲折に並行して太陽の極から左から右に、また左から右に揺れる。地球は本当に太陽中心になっているが、地球は太陽の周りを、星の背景により、楕円にみえても完全な円で公転し、楕円ではないことを確認する。
【００１６】
しかし、地球が太陽中心であることは議論の余地がないため、太陽を含む私たちの星システムの全惑星が地上でのみ生成される生命に貢献している事実にも議論の余地はない。私たちの太陽系は地心でもあることは想像に難くない。正しくは、この星を太陽地心星と呼ぶこともできる。
【００１７】
望遠鏡から広大な宇宙を眺める、私たちの星の内外での航海を眺める現代の天文学者は、生命を形成しうる粒子の存在は認めるも、これまで他の惑星に生命体を1つも発見したことはないことを目撃している。これは疑いのないことである。
【００１８】
太陽の周りを公転する地球およびその他7つの惑星にとって、私たちの星、太陽は明らかにある想定が基準となっている。誕生と生殖の地球もまた、何かの基準を想定している。
【００１９】
生命が地上に生まれ、私たちが地表を歩き、大気で呼吸をするには、炭素は本当に、生命体を化合、光合成するため、地球の化石燃料や（炭化水素）を自然の形で残すことが必要である。また、電子に豊富に含まれるコアエージェントがあって地球の磁場が維持されるので、その自然な形での保存も必要である。ウラニウムは多くのエージェントの1つで、バッテリ内の電解質の性質が弱いことは、バッテリやなくなったり、使えなくなったりすることを意味する。地球の電磁場構成の変化は、おそらく地上の生命の死につながるだろう。
【００２０】
鉱物炭化水素  や化石源が形成されるには何百万年という年月が必要となる。
【００２１】
また、砂漠や水が地表の4分の3を占めているため、太陽の膨大なエネルギーを安定させるために相応に反映している。この進行プロセスは、永久に継続される。ある程度、地上の適切な季節の組み合わせにより、星と太陽風が多ｋな水素の排出と共鳴して、上記の条件がプラズマ出すとを降下させ、生命体のＤＮＡの微粒子を季節によって肥沃な大地に分散させるため、生物圏上を舞う生命体のプロとプラズムの重力粒子の埃を形成するため、適切なときに適切な場所で炭化水素の排出が生命体の微粒子を光合成させることができる。
【００２２】
不幸にも、光電池技術機器の太陽の力を活用して大きな反射体としてエネルギーを生成する方法は、粒子の埃を、宇宙構成により、必要とはされない生物圏のさらに高い場所に引き上げることになり、地球の生物圏の不要な語源となる妊娠受精のように、明らかに、地上の生命体に悪結果をもたらすことになる。
【００２３】
星および太陽風の宇宙音は川のせせらぎと混ざり、滝の水しぶきの音、海の波や風、鳥の囀りや木々や植物のコオロギの鳴き声が自然のお-ケーストラ音楽を形成する。それが、調理師が料理の材料を混ぜるような、生命体のＤＮＡを改善する化学・光合成の粒子の埃を撹拌する。風の鳴り響く音は渦巻き、感情を駆り立て、生命の化学・光合成を妨害する。また、植物は肥料を必要とするが、風の渦巻きにより広がった油は必要としない。動物、鳥やあらゆる小動物らは生息に肥沃な土地が必要である。風車がみえることは動物や鳥を怖がらせ、遠ざける。
【００２４】
エネルギーの分野で正しい方向に代替源を使用するには、エネルギー生産のもたらす効果に注意することが必要である、もっとも重要なことは、物理環境活用への配慮である。
【００２５】
明らかに、エネルギー生産の以前の技術は地球の正しい活動を妨げている。
【００２６】
私たちの惑星は、あらゆる要素を考慮したエネルギー分野のあらゆる専門家が行った総合的な方法論的調査の結果、本当に危機に瀕しいている。
【００２７】
化石燃料、核、太陽、風および地熱発電等のソースを利用する既存の技術は、世界の安全基準では経済的に依存できない、不十分かつ合理的ではない、また近い将来、世界全体の65億人の需要を満たすエネルギーを生成するには不十分な方法を採用している。
【００２８】
過去および現在の技術開発を分析することで、私たちが生活する実世界での既存の再生および非再生エネルギー源の短期的な長所と長期的な短所が分かる。長期的な短所では、専門家の推定より早い段階で終了し、短期的な長所は滑稽な亡霊のようである。
【００２９】
地球秩序の崩壊は加速度的に続いている。これにもかかわらず、私たちの惑星が人間の不合理な地球環境構成との干渉の結果、破滅的な崩壊から一歩離れているものの、人間はその状況を保存する時期に解決策が見つかると思っている。
【発明の概要】
【発明が解決しようとする課題】
【００３０】
明らかに、地表のほぼ3/4が、地球全体を覆う重力空気静的圧搾力で包まれた巨大な沈滞水内で維持されたゼロ比重流体水力学圧搾力に変換された均衡力の水力比重の巨大な生成物で覆われている。ここでは、後者は、空気内で空気静的エアクラフトで、および豊富で排泄されないエネルギー生産で地球を潤す何十億トンもの機械運動馬力で測定した重力水私的ボートで保持できる。
【００３１】
エネルギー生成にこれまで使用された再生可能および非再生可能エネルギーすべてと比べて、比重流体水力学は、もっとも理想的なエネルギー源であり、世界で必要な機械運動エネルギーを生成する梃としての特徴的な、語源となるピストン室水力比重エンジン付きの現在のシステムで使用できる。
【００３２】
これまでは技術の方法が不足していたことで、現代技術が太陽の力や風や水あるいは特に他の信頼できない、物理現象のある宇宙や地上構成等、他の天然可動エネルギー源を活用しようとするため、当該の比重流体水力学エネルギー源はほとんど未利用状態である。
【００３３】
宇宙の構成を熟慮し、地球のエネルギー問題を何もないことを伝えるかのように優しく、不確定で不明な質の力が備わっていることを認めること。当該の構成を確定し、機械的に作動できる方法を行い、当該の問題をそれが適格となるように優しく解決すること。
【００３４】
文字どおり、この方法の現在の発明は、ピストン室水力比重エンジンは海、湖、池等の自然流域や人工水槽に封じ込められた大量の沈滞水内で維持される圧搾の停滞重力水私的張力に自然変換される、水力比重の無限作動強度を活用しているため、特徴的な、語源となるピストン室水力比重エンジンを使用する多目的機械運動生産の技術的な工学システムで構成され、世界ではじめて適切な時期に環境およびエネルギー問題を解決し、やさしい環境でのよりよい将来に向かう人々の夢を満たすために登場している。ここでは、ピストン室水力比重エンジンは停滞エネルギーの重力水私的力を、重力の動作にあわせて、また対抗して代わりに作用する動作の無限の水力比重エネルギーに、また同時に、いずれかの容量の発電を有効にでき、あるいは作用の機械運動力を必要とするような他の作業に多目的に使用できる機械運動力に変換する。
【００３５】
この方法の現在の発明は、流域、池、海洋や人工容器に集まった大量の停滞液の、前述の水力比重の停滞比重流体水力学圧搾を無限のエネルギー源およびピストン室水力比重エンジンに変換できるピストン室水力比重エンジンの技術的な工学で構成され、ここで、後者は、必要に応じて、できるかぎり多くの機械作業を提供する箇所や地上の場所で据え付けることができ、エネルギー生産に関する人々のファンタシーのもっとも臨まれる期待をも相当満たすことができるように、水電気生産またはその他形態の作業に使用できる。実際、エネルギー分野の専門家が不可能と思う点から始まっている。
【００３６】
20世紀初頭、神がどのようにゼロから宇宙を創造し、生命体のないところから生命を創造したかは疑問であった。ギリシャ神話の一節には、その経緯が多数描かれている。詩人ホメロス、ヘシオドスやその仲間は大洋がすべての起源であるとした。無尽蔵の神秘力を与えられたオケアノスは、そこから河川、湖や池に引き起すことができたと言われている。しかし、オケアノスは、元の場所に留まったので、自身に逆流し続けたが、通常の河川、湖や池ではなかった。これは世界のある場所ではなく、混沌とした時空の真空領域を強制的に満たすので、微粒子の速度により誘発される、世界でエネルギーが流転するだけであり、世界とそこを超えた間を循環するだけである。オケアノスは、すべての起源であり、生命体以外から生命を無限に拠出できる固体、液体、気体または空気物質から構成される地球または惑星のような地面を元のパートナーという考えが続く。
【００３７】
履歴データにしたがったオケアノスと地表の組み合わせは、世界の平衡粒子風として変換できる（特徴的な、語源となるピストン室水力比重で機械運動力を生成するシステムの技術的な郊外で構成される方法の現在の発明の発明者により変換された）。ここでは、充填できない真空の宇宙空間の無限の時空を満たすために、微粒子で、あらゆる方向から永久に流れ、交差衝突するか、連結に近い状態になり、最後にはバーライト(BARYTES)(重力を意味するギリシャ語）の複数の微粒子斑点となるが、これは微粒子衝突を強制的に破壊する意味で、語源のギリシャ語ＢＡＰΩ＝(hit；打つ)と特に解釈される。
【００３８】
現在の発明は、多年にわたる深い考察と作業による結果である。重力の問題は問題全体の中心となるものである。重力問題を長年揺れてきた理論にしたがって考察することで、あまりに詰まったことばの矛盾がかみ合わないことに気づく。ギリシャ語"Baro'は、叩く、打つおよび打撃を与えるの意味であり、barytes、baro、 baros、これらことばのすべてが関連語および関連する意味である。誤訳により、元のbarytes＝重力であるとする間違ってことばを表す意味として誤解を生んでいる。BARYTES と GRAVITYの両方のことばを考察して述べたように、最初のことばは重力（barytes）は、あらゆる方向から、太陽風以上の速度制限であらゆる方向に流れる微粒子から構成される宇宙風であるという結論に至ることができる。あらゆる方向からあらゆる方向への宇宙風の平衡風速により、風の微粒子（つまり、分割しない粒子）の直接衝突または近似衝突が明らか出る。
【００３９】
微粒原子のこれらの衝突は、宇宙重力＝BARYTES風に透明な原子の粒子埃の膨大な星雲の塊の微粒を形成し、最後のものがあらゆる方向からこの形成に（風が笊に浸透するように）浸透し、膨大な異なる物質を生成する力の均衡のとれた生成物の＝重力の輻輳を大量に生成するので、各物質には比重力輻輳が発生する。重力は、あらゆる方向からこの輻輳を中心点に（風が笊を押しだすように）押し出し、液体、固体や気体物質を形成する。
【００４０】
物質は、宇宙風をよく構成するので、あらゆる方向からあらゆる方向の往来の輻輳への最後の風が物質内で形成され、往来の輻輳が重力の輻輳へと発展していく。異なる物質には、それぞれ、個別重力＝ギリシャ語でeidiko barosに変換される、往来の重力輻輳がある。液体にはも輻輳があり、上述の理由で、水力比重（あらゆる種類の物質の個別重力として変換される重力15輻輳）に変換される。自然の流域または人工容器の固体壁の水力比重の動作に対する抵抗により形成される力の反対生成物の均衡により、水力比重は膨大なテいたい液に保持される圧搾力の内外の比重流体水力学作用強度に変換される。
【００４１】
ピストン室水力比重エンジンのギジュう的な工学から構成されるこの方法の現在の発明の目的は、比重流体水力学的圧搾力のゼロ生成物の活用と変動である。ここでは同時に、水力比重を均質してカ平衡して、水力比重の表面で浮動するさまざまなサイズの室を、連続した相互作用の動作により、海、湖、池や人工容器の大量停滞水に強制的に沈み、出現させることができる重力に移動する。
【００４２】
第一手順は、一部を分離させて液体フィル、自然流域または水室の内部領域にある圧搾の比重流体水力学的張力の作用強度の比重流体水力学均衡生成物を変動させて水力比重の比重に変換し、最初を減らし2番目を増やして、2つの均衡力で室が停滞する圧搾の比重流体水力学的張力内に沈めることである。ここでは同時に、重力空気静的圧搾の後に室の沈殿が続き、室上の比重流体水力学圧搾内に空気の列ができる。次の2番目の手順としては、室がピストン室水力比重エンジンの技術的クお学で構成される事前定義の深度に達した場合、代わりに、2つのカウンター力が変動するが2番目を軽減させることで、これは比重流体水力学力およびピストン室の個別重力の生成物を意味し、停滞圧搾の比重流体水力学的張力を水力比重可動作用強度に変換し、重力に対応して可動する中和力として作用する。この力は、重力を圧倒するので、室を下から押し上げ、後者を、室の沈殿中に形成された空気と交代になった液体真空列から表面に反対に押し上げられる。
【００４３】
この慣行は繰り返され、その結果、作用の2つの交互に耕作する力で強制される室は、多目的に使用でき、エネルギー生産に関する人のファンタシーへの期待をもっとも満たす同軸回転に同時に変換される、ピストン室水力比重エンジンの技術的工学から構成される、前述の方法ぬいよって決定される深度で、シリンダー室内部で交互に、比重流体水力学圧搾の内外で連続して相互作用する。
【課題を解決するための手段】
【００４４】
現在の発明の方法を最終完成する技術的システムピストン室水力比重エンジンは、特定のメカニズムを稼働させることで特徴づけられる技術的な工学で構成され、多目的の運動力生産を行い、後者の内部領域を満たす液体物質の3次元形成の方法として使用されることがある水槽で構成され、圧搾内外の比重流体水力学的張力を生成でき、ピストン室水力比重エンジンの有効化に十分な梃として専用に使用するのに適している。また他に、上述の水槽は海、湖や池の液体物質の圧搾の内外張力の水管理の役割をし、ピストン室水力比重エンジンの技術的なクお学システムから構成される方法の梃として使用するのに適することになる。水槽の液体物質内容が専用に使用された場合、後者は全体的に水が飽和状態になる。水槽が海水、湖や池に保持される液体物質の圧搾の内外張力の水コントローラとして使用される場合、水槽は、底部に不要な物体や水生命体が内部領域に入り込むのを防ぐ保護用ネットグリル、現在重力に均質作用する作用の水力比重を、そしてその後、シリンダー室トランクの実施例を構成する、重力平衡の動作の変動させる水力比重のシリンダー室変動変位分離装置、シリンダートランクの底部側面で一方から密封調整されるバルブ室が置かれ、一部水の飽和状態になり、ここでは、バルブ室内部で、バルブの運用メカニズムが調整され、同メカニズムはシリンダー室の底部側面一方を密封および密封解除するバルブ室を運用する。ここでは、バルブ室が調整され、シリンダー室の内部が、ピストン室を、ピストンの前後の相互作用の動作のように内部領域内で前後に自由に相互作用できるように適切に調整する。
【００４５】
上下逆さのバケツに似た、またピストンモーターのピストンに似て、重力の流体水力学圧搾のシリンダー室波動分離装置内を、最初の層が作用段階は水力比重のピストン室オプレッサー、次の相互作用段階はピストン室リアクターとして、ピストン室水力比重エンジンの技術的な工学から構成される現在の初メインオ方法にしたがって適切に行われた、作用の重力に対して作用の水力比重平衡力に対して前後自由に叢度作用できるピストン室。ピストン室の上部は空気圧密封され、そこでは反対の底部で、ピストン室の内部領域にある液体物質内で未ぷうまたは解除できる、運用メカニズムがあるディスクバルブが調整される。密封接続されたピストン室上部には、接続棒の一方が突出し、根幹が上向きに延びたピンシャフト付き接続棒の土台をしっかりと調整する。
【００４６】
可動および非可動部で構成されるピストン室水力比重エンジンの特定の水飽和の実施例のアクセサリの容器クランクカムシャフト室では、フレームパネルの底部外側の表面は水槽の上部で密封固定され、そこでは、このフレームパネルの開口部で、内部領域を容器クランクカムシャフト室の内部領域に対応させることができるように永久に開放したままになっている、比重流体水力学圧搾の上部の前述のシリンダー室波動分離装置をしっかりと密封調整している。ここでは、その結果、ピストン室の接続棒が他の側で、クランクシャフトのクランクに突出しているので、自由に可動でき、クランクカムシャフトのジャンプカムのところで、バルブを油圧作動させるピストンポンプのピストンに接触している。 容器クランクカムシャフトの上部は空気フィルタが固定されている上部カバーで密封されている。ピストン室がピストンポンプとピストン室を作動させるメカニズムと油圧接続するパイプを相互作用させ、ディスクバルブはネジ止め形状の弾性材料で構成される。シリンダー室波動分離装置トランクは垂直下向きに延び、水槽の内部領域に永久に補填されている液体の比重流体水力学圧搾に、バルブ室を密封調整した反対側を固定して特定距離に水槽の底部を浮かせて、埋め込まれている。サポートレッグは上述のシリンダー室を水槽の底部側面また、シリンダー室波動分離装置を調整し、容器のクランクカムシャフト室で永久に開いたままにする側で支えるために使用し、シリンダー室の内部領域で、容器クランクカムシャフト室の内部領域の対応を可能にすることがときどきある。（この領域は永久に差し込まれたピストン室の上部側の上にある。）また、空気はそのため、ピストン室が水槽の内部領域を満たす液体物質内に永久に埋め込まれたシリンダー室内部で上下に相互作用するため、1つの領域からもう1つの領域に自由に移動する。
【００４７】
ピストン室水力比重エンジンの作用モードは、シリンダー室から濃水槽を満たす縮比重流体水力学停滞バルク液体負荷の圧搾のbarite-hydro-static＝（比重流体水力学的）張力内のピストン室の完全相互作用の2つの期間で構成されている。
【００４８】
1次期間は、作用の水の個別重力に変換されるピストン室内に密封された液体の比重が原因ピストン室の水力比重圧搾力による、圧搾の比重流体水力学的張力のシリンダー室波動分離装置内のピストン室浸透の1つであり、2次期間は、重力に対して作用の圧倒的な平衡力として現在作用し、ピストン室を最初期間が始まる初期点に戻らせる、重力に対する作用の水力比重の平衡力に変換される水槽の内部領域を満たす圧搾の比重流体水力学的張力が原因のピストン室の永久に差し込まれた丈夫側上のシリンダー室フラクチェエータ分離装置内部の液体の真空領域からのピストン室乳化の１つである。
【００４９】
ピストン室水力比重エンジンの技術的工学から構成される現在の発明方法にしたがって、作用順序モードは重力を利用できる単一エンジン、他の特定アクセサリと連続対応してあわせて作動するモード、作用対応順序の正確なタイミング、添付の図を参照してこれまで詳細に記載される正確な材料の実施形態に組み立てられる適切なアクセサリのモードで決まる。
【００５０】
ピストン室水力比重エンジン図表構成の図面の概略説明
添付の図の目的は、ピストン室水力比重エンジンの技術的な工学から構成される方法のモードおよびピストン室水力比重エンジンの作用順序のモードを方法で示されたとおりに表示するのに使用し、現在の発明をそこに限定するものではない。
【図面の簡単な説明】
【００５１】
【図１】図表の図Ｉは、ピストン室水力比重エンジンの特定アクセサリであるピストン室(1)の技術的な工学の多数ある方法の1つで、ピストン室(1)はある点、上下さかさまのバケツのようである。図Ｉ、ＩａおよびＩｂ のピストン室(1)の区別可能な部分はピストン油圧ギア(3)付きディスクバルブ(2)、ピストン室の相互作用の動作をクランクシャフトの回転に伝送して変換する接続棒 (4) 、永久に密封して差し込まれたピストン室(1)の上部側の外部にしっかり調整されている土台(5)、接続棒(4)の片方が突出しているピオンシャフト (6) となる。図1のページ左側にある構成Ｉａの説明図表は、開いたディスクバルブ(2)、図1のページ右側の構成Ｉｂは閉じたディスクバルブ (2) を表す。
【図２】図表の図２は、ピストン室水力比重エンジンの特定アクセサリの実施例で、水槽 (7)は、同水槽(7)内部領域を満たす液体物質内にある圧搾の比重流体水力学的張力に変換される、力の比重流体水力学生成物を収集して維持する特定アクセサリで、図1のピストン室(1)をピストン室水力比重エンジンの実施例の特定アクセサリであるシリンダー室(15)の内部領域から、圧搾の重力水張力内で昇降させることができる構成を生成する。実施例のアクセサリ容器クランクカムシャフト室 (8)では、底部パネルの外部領域で、前述の水槽(7)の上部に密封され、容器クランクカムシャフト室(8)内のクランクカムシャフト(9)である可動および非可動アクセサリで、クランクカムシャフト(9)を容器クランクカムシャフト室(8)にしっかりとクランクカムシャフト(9)を固定したクランクシャフトベアリング内のクランクカムシャフトバス(10)、パイプ(13)から油圧エネルギーを送る油圧ピストンポンプ(14)を有効にするクランクカムシャフト(9)のクランク(11)とクランクカムシャフト(9)のカム(11)に配置する。
【図３】図表の図３は、シリンダー室波動変換分離装置(15)（ピストン室水力比重エンジンの特定メカニズムを構成）、シリンダー室(15)の非可動実施例のバルブ室(16)、バルブ室(16)の可動アクセサリを構成する接続棒付きバルブ(17)を表し、ここでは後者がシリンダー室波動分離装置(15)の安定アクセサリ、バルブ(17)の実施例のバルブギア(18)、シリンダー室フラクチューター分離装置(15)の非可動実施例アクセサリである導線(19)から構成され、後者は可動部と非可動部のある水力比重エンジンの非可動アクセサリ実施例で、丈夫で、容器クランクカムシャフト室(8)の底部にある開口部でボルト付けで固定密封され、水槽(7)の中心に垂直下向きに延びた部元アクセサリを含むトランクが付き、水槽・容器(7)の内部領域を満たす圧搾の比重流体水力学的張力内に浸透し、シリンダー室内部領域内では、図1のピストン室 (1)は、B.D.C. (24)と T.D.C. (25)領域間で相互作用できる。
【図４】図表の図４は、クランク(11)に接続棒の他方の端が突出した図3のシリンダー室波動変換分離装置内にあるピストン室(1)を表し、この段階では、技術的な工学ピストン室水力比重エンジンの方法の最終となるピストン室水力比重エンジンの実施例が完了する。
【図５】図表の図５は、ピストン室(1)がシリンダー室(15)の内部領域から、水槽(7)の内部容器を満たすバルク濃縮液体物質内にある圧搾の重力の流体水力学的張力に浸透しているので、その機能の1次期間を実行するピストン室水力比重エンジンを表し、この段階の機能では、ディスクバルブ(2)とディスクバルブ(17)は閉じている。
【図６】図表の図６は、ピストン室(1)がシリンダー室(15)の内部領域から、水槽(7)の内部容器を満たすバルク濃縮液体物質内にある圧搾の比重流体水力学的張力内部から表面に浸透しているので、その機能の2次期間を実行するピストン室水力比重エンジンを表し、この段階の機能では、ディスクバルブ(2)とディスクバルブ(17)は開いている。
【図７】図表の図７は、マルチピストン室水力比重エンジンのクランクカムシャフト(9)が、クランク(11)が異なる角度傾斜になっているので、互いに連続して完全協調する形であわせて、すべてのピストン室(1)の相互作用の中で、どのように完全３６０°回転するかを表すシリンダーピストン室水力比重エンジン4つを表す。
【図８】図表の図８は、4つのシリンダーピストン室水力比重エンジンが、密封され、水槽(7)の内部領域だけを満たす液体物質内にある圧搾の比重流体水力学的張力を活用して、技術的な工学の現在の方法を適用することを表す。
【図９】図表の図９は、図８と同様、海、湖、池やその他自然流域の液体物質内にある圧搾の比重流体水力学的張力を活用して、技術的な工学の現在の方法を適用することを表し、水槽(7)の底部側面パネルは保護グリル(30)と交換し、水槽(7)の内部領域内の不要な物体や水容生命体の侵入(を防き)、容器クランクカムシャフト室(8)が現段階でピストン室水力比重エンジンの浮動方法となるので、容器クランクカムシャフト室(8)の底部外側が自然流域の液体物質の表面に触れた状態で、圧搾の比重流体水力学的張力内に浸透するため、フレームとフレームのパネルは光変位が浮動できるように適切に設定する。これらの深い湖、海または池の底部でどのようにしてもしっかりと支えられない場合、ホーサー(26)を追加して、ピストン室水力比重エンジンを、深部にある支えウエイト(26)、できれば、コンクリート製のものを接続する。さらに、スプリング(28)を追加して、水の波を滑らかにする。
【発明を実施するための形態】
【００５２】
現在の発明方法にしたがって決定したピストン室水力比重エンジンの技術的な工学の作用モードについて説明した図を参照にした現在の発明の詳細説明は、説明的な例にはなるものの、決して、現在の発明を拘束するのではない。特に、図を参照にした前述の説明は、ピストン室水力比重エンジンの技術的な工学の前述の方法とモード、比重流体水力学および水力比重の活用方法のモード、および各種方法で使用でき、その前述の方法を中に拘束しない、再生可能運動エネルギーの機械ソースへの後者の変換方法、および技術的な工学の方法を適用するピストン室水力比重エンジンのシステムの図を描くことである。
【００５３】
図３では、図の構成は液体物質を密封絶縁して固定した水槽(7)を提示している。
【００５４】
底部外部側面のある前述の容器クランクカム室(8)は前述の水槽(7)の上部に密封固定され、前述の容器クランクカムシャフト室(8)の内部領域では、クランクカムシャフト(9)は容器(7)の内部領域を満たす液体物質内に保持された圧搾の開発の比重流体水力学的張力の前述のピストン室波動分離装置(15)の開かれた上部に一定の距離で、一定の角度で調整されたクランク(11)を回転できるように、ベアリング土台(10)上に適切に調整されている。（外部のある）前述のピストン室(15)の開かれた上部は、容器クランクカムシャフト室(8)の底部パネルに固定された寸法の等しい開口部に調整されて密封固定され、バルブ室(16)、ディスクバルブ(17)、油圧ギア(18)と呼ばれるアクセサリ部分がある前述のシリンダー室(15)のトランクの残り部分は、前述の水槽(7)の真ん中に垂直で下向きに延長され、導管(19)ではその外側底部からの後者がトランクを情報に伸ばした状態でシリンダートランク(15)の側面で密封調整され、そこでは、他の上部が水槽(7)の液体物質の表面およびピストン室の相互作用の T.D.C.と水平になっている。
【００５５】
図４の構成では、シリンダー室(15)の内部領域内にある前述のピストン室(1)が提示され、上述のピストン室(1)底部ではピストン室のディスクバルブ(2)が調整され、前述のピストン室の領域内では、前述のディスクバルブ(2)を有効にする前述のディスクバルブの油圧ギア(3)が固定され適切に調整され、前述の導管(4)では、後者の底部端が前述の接続棒のピストン室土台(5)に突出し、次に、上部に密封して差し込まれた前述のピストン室(1)で固定して調整され、前述のピストン室の接続棒の他の上部端はクランク(11)に対して突出し、ピストン室(1)をクランクカムシャフト(9)クランクと接続する。
【００５６】
図５が示すように、ピストン室のディスクバルブ(2)とディスクバルブ(17)は密封して閉じられ、拘束され、水槽(7)の内部領域を満たす比重流体水力学圧搾の液体物質が前述のシリンダー室波動変換分離装置 (15)、導管(19)の内部領域およびシリンダー室(15)内に密封調整されたピストン室(I)の内部領域と通信するのを防ぎ、ピストンモーター相互作用のように相互作用できる。 前述の接続棒(4)によりピストン室(1)に接続され軌道(23)が360°を超え、およびピストン室(1)の相互作用の浸入期間が始まった、および前述のクランクカムシャフトのカム(12)がピストンポンプ(14)のピストンを解除した前述のクランク(11)は、次に油圧鯨ギア(3)と(18)を有効にし、これらが次に、ディスクバルブ(2)と(18)を強制的に閉じさせた。
【００５７】
ピストン室水力比重エンジンのこの段階の機能では、ピストン室水力比重エンジン、その実施例の特定アクセサリ、依存する特定アクセサリの残り部分と協調を相互共有するピストン室(1)の技術的な工学を構成する方法にしたがって、あわせて、単一ピストン室水力比重エンジンを構成し、張力比重流体水力学圧搾内で1次期間のピストン室の相互作用を、後者の閉じたディスクバルブはシリンダー室波動(15)の内部領域で水槽(7)の内部領域を満たす液体物質内にある、比重流体水力学圧搾力の通信を妨害するので、シリンダー室(15)から実行し、（拘束されピストン室の内部領域を満たす特定の水力比重に強制され）（ここで、最後のディスクバルブは密封し、明らかに重力は液体の比重の数量と等しい作用の固体力に変換されている) 。
【００５８】
特に、ピストン室水力比重エンジンの作用システムの特定アクセサリの作用手順の連続協調に関連して、現在の発明方法にしたがって、閉じたバルツ(17)とシリンダー室(15)の(2)およびピストン室(1)が連続作用順序の交代状態になり、そこで、シリンダー室波動変換分離装置 (15)のバルブ室   (16) の閉じたディスクバルブ(17)は、シリンダー室(15)の内部領域、ピストン室(1)の内部および導管(19)の内部領域を満たす液体物質から、水槽(7)の内部領域を満たす液体物質の数量内にある圧搾の比重流体水力学的張力の通信を妨害する。
【００５９】
その結果、自動的にシリンダー室波動変換分離装置(15)は固体力として作用し、シリンダー室(15)の寸法に等しい水槽(7)の内部領域を満たす液他物質の圧搾の比重流体水力学的張力の一部を外し、そのために、圧搾の比重流体水力学数量張力の個別力比重に等しい作用の力を内外および全方向に適用する、水槽(7)の内部領域を満たす液体物質内に存在する圧搾の比重流体水力学的張力は、抗力をディスクバルブ(17)の外部を含めシリンダー室(15)の外部トランク壁に適用し、その比重流体水力学圧搾力はシリンダー室(15)の静的力抵抗で中和し、この段階での生成物に対してそのバルブ室のバルブ(17)を閉じ、同時に、シリンダー室波動変換分離装置(15)、ピストン室(Ｉ)の閉じたディスクバルブ(2)の内部内の閉じたディスクバルブ(17)の比重流体水力学的張力の小さな部分はそのためにピストン室(Ｉ)ディスクバルブ(2)下で絶縁された液体物質の残りを生存させるシリンダー室(15)液体物質の一部を未未ぷう絶縁し、液体物質のピストン室（Ｉ）数量が後者の内部領域で全部密封絶縁され、ピストン室(Ｉ)ディスクバルブ(2)下のシリンダー室波動変換分離装置(15)内部で絶縁される液体物質の一部上に圧搾力をかける、固体化した水力比重個別重力に変換される。 ピストン室のディスクバルブ(2)により圧搾を行うシリンダー室(15)内の液体物質、液体物質の粒子（その粒子の突出が固まってなく、そこで液体物質の一部が簡単に分離したり、あるいはほとんど努力せずに形状を変形したり）あわせて、またそれぞれ子ｂつのテント上で、あらゆる方向に逃げ、シリンダー室(15)の内壁、ピストン室(Ｉ)のディスクバルブ(2)、バルブ室(16)ディスクバルブ(17)で押出力を適用し、また、導管(19)では、液体の水力比重の比重が後者の内部力を満たし、ピストン室(Ｉ)水力比重作用強度にかかる導管(19)水力比重効力抵抗として、1つは少ないピストン室エンジンの技術的な工学を構成する方法で調整されることで、導管(19)力が弱まり、作用強度コンポーネントのピストン室(Ｉ)抗力の抗力コンポーネントがシリンダー室内部液の圧搾比重流体水力学に加わり、その結果、シリンダー室の液体物質は導管から逃げ、導管(19)上部から表面上の水槽に戻ってくる。そのため、上述のピストン室(1)が圧搾の後者の比重流体水力学的張力内で、上述のシリンダー室(15)から降下でき、上述のとおり、後者の1つのディスクバルブは水槽(7)の圧搾の水力比重張力を内部領域およびピストン室(Ｉ)内部に密封絶縁している液体物質のピストン室(Ｉ)比重作用の水力比重から孤立させ、また後者は、導管の弱い力コンポーネントを圧倒でき、導管ピストン室水力比重比重のピストン室(15)排出口内部からの液体物質がピストン室を侵入部分に下げる。
【００６０】
その間、ピストン室(Ｉ)はピストン室(Ｉ)の差し込み側上の後者の内部で自動的に、上述知り団―室(15)の内部領域から、圧搾の水槽(7)の比重流体水力学的張力内を降下する。接続棒(4)付近のピストン室(1)がトラックの動作にクランクを引き付けるので、後者がクランクカムシャフト(9)を回転させる。
【００６１】
上述のピストン室(1)内部領域内に密封されている液体物質の比重の水力比重力で誘発されるように、上述のシリンダー室(15)内部領域から圧搾の重力の流体水力学力比重内のピストン室(1)の相互作用の動作の1次期間は、上述のピストン室の水力比重が導管(19)流体水力学力コンポーネントが均衡するまで、あるいは上述のシリンダー室の垂直内側に、密封した相互作用の動作になるように接する、上述の導管が上述のシリンダー室(15)トランクに密封固定調整され、内部領域通信を閉塞させるピストン室(1)の垂直側が導管(19)の入り口に到達するまで、継続する。
【００６２】
そこでは、導管(19)領域が上述のシリンダー室のトランク領域に固定調整されているところに、T.D.C. (24)の距離より少し短いクランク(11)直径周辺のトラックとして、同方法が調整されているため、ピストン室水力比重エンジンの技術的な工学を構成する現在の発明方法がこの解決になる。また、クランク(11)が１８０°トラックを完了するとすぐに、上述の環境が発生する前に、接続棒近くでピストン室の動作を抑える。
【００６３】
クランクトラック(11)直径の長さが原因のピストン室の抑制浸入のプラスの結果が、発生する上述シリンダー室(15)内部領域内のピストン室の1次期間の相互作用に明らかに必要なピストン室水力比重エンジンの技術的な工学を構成する方法の中で、前述の協調規定を誘発する。
【００６４】
最初は、すべての対抗力が力の均等な生成物のゼロポイントに到達できる前のポイントで、上述のシリンダー室(15)内部領域から、圧搾の比重流体水力学的張力内のピストン室(1)の下向きの相互作用の動作、つまり、それが原因で統合された固体化ピストン室(Ｉ)力に変換された上述のピストン室(Ｉ)内部領域内に密封された液体物質の比重の水力比重に対する導管(19)内にある液体物質の水力比重を停止することである。
【００６５】
2番目は、密封した相互作用の動作で上述のシリンダー室の垂直内部面に接する後者が、内部面が、上述の導管が導管(19)によりシリンダー室(15)の内部領域通信の両方を明らかに閉鎖する、上述のシリンダー室(15)トランクに密封固定調整されている、導管(19)に到達する前に、ピストン室(1)の効果を停止することである。
【００６６】
3番目は、クランク(11)が、力の上述の生成物によりピストン室が停止点到達する前に、１８０°トラックに到達することができることである。
【００６７】
4番目は、ピストン室(1)が、最後が、ディスクバルブ(2)と(17)を強制ポンプさせるピストンポンプを有効化できるように、カムを上述のクランク(11)がクランクカムシャフト(9)に対する強度を維持できるように、最後がトラックの180°点になるときにクランクに対する水力比重を継続して維持が必要なことである。
【００６８】
図６に記載のとおり、上述のピストン室(Ｉ)ディスクバルブ(2)およびバルブ室(16)ディスクバルブ(17)は開かれ、そこでは、ピストン室(1)がクランク(11)が１８０°トラックをおおよそで超えた知り名―室の内部領域内の圧搾の重力の流体水力学的張力から乳化を始め、また、３６０°トラックの完全なトラックに対して、(11)上述の開発は、クランク(11)がクランクカムシャフト(9)を180°同軸回転させることができ、ピストン室がクランク(11)で作用強度をかけ続けるので、カムをピストンポンプ(14)を有効化ために有効化させる、上述の小さいトラック直径差(相互作用の上述のピストン室の1次期間の距離と比べて)で誘発した、クランク(11)にかかる最後の連続作用強度ピストン室(1)相互作用の作用順序の1次期間のプラスの結果発生した。そこでは、上述のピストンポンプがディスクバルブ(2)と(13)油圧ギア(3)と(18)を、上述の油圧ギアが上述のバルブ(2)と(17)を有効化した、バルブ室(16)のピストン室(1)と(13)の油圧パイプ(20)で油圧起動し、1分の中断以内で同時に開く。
【００６９】
そのため、上述のピストン室のディスクバルブ(2)および上述のバルブ室のディスクバルブ(17)が開くので、圧搾力をシリンダー室の外壁にかける、上述水槽(7)の圧搾の上述の比重流体水力学的張力が上述のピストン室(1)とシリンダー室(15)の内部領域と自由に通信できりょうに設定され、そこでは、圧搾の結合比重流体水力学的張力と組み合わせられ、その結果、圧搾の上述の比重流体水力学的張力はディスクバルブ(2)と(17)から内部で、永久に密封して差し込まれた、ピストン室(1)内部上部に転送される。ここでは、すべてその強度で同的力を適用し、上述のピストン室(1)のディスクバルブ(2)開口部が液体物質比重の作用の水力比重を開放するので、現在維持されている圧搾の水槽の比重流体水力学的張力の主力に抵抗するには十分ではなく、水力比重の作用強度の抗力を、抵抗できない、1次期間の浸入により生成される、上述のピストン室(1)上部の密封して差し込まれた領域上で真空のシリンダー室(15)液体物質から最終的に上昇する、重力の作用強度に変換され、次に、接続棒(4)近くのピストン室がクランク(11)を、３６０°トラックに押し出し、クランクカムシャフト(9)を強制的に３６０°回転できるようにさせる。
【００７０】
図６の図表で示しているように、クランク(11)は３６０°トラックを完了しようとしている。ここではピストン室(1)の密封した上部(5)は上述のシリンダー室(15)内部領域および後者の開いた上部の外部の水槽(7)液体物質表面レベルと水平な導管(19)と水平に近くなる。
【００７１】
クランク(11)が３６０°周囲トラックを完了すると、直径の長さ(2)は上述のピストン室(Ｉ)が、その密封して差し込んだ上部(5)が水槽(7)の液体物質および導管(19)上部側と水平になる、後者を相互作用の情報の動作に向けて終了させ、そこでは（ピストン室(1)の相互作用期間の2次期間で、後者が力をクランク(11)にかけ、それによりクランクカムシャフトにかける、上述のピストン室を上方に強制移動させる）圧搾の比重流体水力学的張力が継続して有効となる。
【００７２】
この段階では、2次期間のピストン室(1)の相互作用の動作が完了するので、ディスクバルブ(2)と(17)が、３６０°の動作を完了し、ピストンポンプ(14)のピストンを開放する、上述のクランクカムシャフト(9)のカム(12)を同時に閉じ、次に、バルブギア(18)と(3)に対する油圧または空気圧搾を停止し、上述のギアのスプリングが、ぢジスクバルブ(2)と(17)を強制的に閉じさせ、2次期間の相互作用ピストン室(1)の情報移動の終了が、1次期間の下方移動には開始となる。
【００７３】
上述のピストン室水力比重エンジンが作動するには、一定の原則要件およびその構造の類推基準を、技術的な工学を構成する現在の発明方法にしたがって、厳しく適用することが必要である。
【００７４】
上述のピストン室(1)の垂直外壁または垂直壁の一部および上述のシリンダー室波動変換分離装置(15)の内壁の間の許容値を、上述のディスクバルブ(2)下の上述シリンダー室(15)内の水が、上述ピストン室(1)の上部密封差し込み側上の上部領域から漏れないよう、完全な調整が必要である。また、上述のピストン室(1)の外壁および上述の導管(19)が上述のシリンダー室トランク(15)に密封調整された領域と上述のピストン室(1)の上下移動の相互作用のT.D.C.  (24) デッドエンドポイントとの間の上述のシリンダー室(15)の内壁は、上述のピストン室(1)が（ピストンモーター相互作用のピストンのように）密封して相互作用でき、液体漏洩が防止できるようにしっかり回転して研磨することが必要である。
【００７５】
上述のクランク(11)のトラック円(21)の直径の長さは、ピストン室(1)の作用強度の存在が言いされるようにクランク(11)が１８０°トラック円に達したらすぐ、クランク(11)がピストン室を下向き相互作用の動作を停止できるように、ピストン室(1)からクランク(11)クランク(11)からクランクカムシャフト(9)まで、およびその逆の作用強度の連続適用には、シリンダー室の内部垂直側に密封調整されている後者の垂直側領域が、導管(19)の底部側がシリンダー室のトランクで極端に密封調整される前、およびピストン室(1)水力比重に対する逆コンポーネントが力のゼロ生成物と等しくなる前に、クランク(11)がトラック円の360°に到達し、ピストン室(1)相互作用の動作の下向きの動作を停止するとすぐ、シリンダー室波動変換分離装置内の各期間の動作の上下方向に相互作用の距離の長さより少し短いことが必要である。
【００７６】
ピストン室(1)の2次期間の上向きの動作の終わりでも、後者は、ピストン室の密封して差し込まれた上部が水槽(7)液体内容、導管(19)上部の表面と並ぶ前に、また水槽液体内容の比重流体水力学作用強度が浸入るする重力と等しくなる前に少し停止する必要があり、すべての作用強度が、ピストン室(1)にかかった比重流体水力学力の張力が、最後が相互作用の動作のT.D.C. (24) に到達するので、存在し続ける、力の均衡したゼロ生成物になる。
【００７７】
相互作用の動作とクランク(11)が１６０°トラック円 の場合、ピストン室(1)がB.D.C. (25)に到達したらすぐ、上述のピストン室(1)相互作用の動作がT.D.C. (24) とクランク(11)にちょうど到達したため、３６０°トラック円と両方のディスクバルブ(2)と(17)が一分の数秒以内にすぐに接近し、同様にすぐに接近する。
【００７８】
上述のアウトレット導管(19)の内部領域合計は、どんなに多くても、上述のピストン室(1)の内部領域よりは小さいことが必要である。そのため、上述のアウトレット導管(19)に含まれる液体の液体比重圧力は常時、上述のピストン室(1)内の密封した絶縁液体物質の比重圧力以下であることが必要であり、ピストン室(1)のディスクバルブ(2)下のシリンダー室の波動変換分離装置(15)内にある液体物質のゝ部分に圧力をかける2つの圧搾コンポーネント力の違いによって、上述のピストン室(1)の圧倒的力が、シリンダー室(15)の液体物質が、水槽(7)の液体レベル、ピストン室(1)の相互作用の動作のT.D.C. (24) と等しくなる）導管(19)上部（）から上述の導管(19)内部領域を通って、水槽(7)に戻ってこさせることができ、したがって、ピストン室(1)は、同時にピストン室(1)上の知り団―室(15)内部領域内の液体部う室真空領域列を形成する、シリンダー室(15)内部領域からの圧搾の水槽(7)の液体物質比重流体水力学的張力内に浸透している。
【００７９】
容器クランクカムシャフト室の内部領域は完全に水が飽和していることが必要である。
【００８０】
梃として使用する液体物質の数量は、ピストン室(1)の寸法と重力抵抗力以上に不可欠で、適切に維持された、圧搾の比重流体水力学的張力を開発できるのに十分であることが必要である。
【００８１】
ピストン室水力比重エンジンの構造材料は、防酸化で、可能な場合、ステンレス鋼製である必要がある。
【００８２】
導管(19)の上部は、水槽液体物質レベルと同じであることが必要である。
【００８３】
シリンダー室波動変換分離装置(15)内のピストン室(1)の最高の密封相互作用を実現するため、必要な場合、リングまたはゴム膜を当て、ピストン室(1)が、ピストン垂直壁とシリンダー垂直壁の間の許容を密封調整できるようにすることができる。
【００８４】
図表の図７が示すように、4つのシリンダー室波動変換分離装置(18)で構成される技術的な工学を構成する方法にしたがって、ピストン室(1)と数が等しい、（マルチシリンダーピストン室水力比重エンジンに属する）4重シリンダーピストン室水力比重エンジンの例は、この水槽(7)内で維持された圧搾の重力水静張力を利用することで、接続棒(4)と数が等しく、単一容器クランクカムシャフト室および単一水槽および単一クランクカムシャフト(11)のクランク数では等しい。
【００８５】
右から左に、図表の図７は、最初のシリンダー室(15)のピストン室(1)が、後者が、シリンダー室の内部領域(18)とディスクバルブ(2)および(17)から水槽(7)の液体物質内に存在する圧搾の流体水力学的張力内で浸透し出したピストン室(1)がピストン室水力比重エンジンの技術的な工学を構成する現在の発明の方法にしたがって、作用順序に、ピストン室の相互作用の動作の1次期間を適用するところで閉じる、１８０°トラック円のはじまりにある、共通のクランクカムシャフト(9)の最初のクランク(11)に対する接続棒で突出していることを表す。
【００８６】
左から右に、図表の図７は、2番目のシリンダー室(ＩＳ)のピストン室(1)が、シリンダー室の内部領域(15)とディスクバルブ(2)と(17)から水槽(7)液体物質内にある圧搾の比重流体水力学的張力内から浸透し出したピストン室(1)がピストン室水力比重エンジンの技術的な工学を構成する現在の発明方法にしたがって、作用順序で、ピストン室の相互作用の動作の1次期間を適用するところで開いている３６０°トラック円に向かって、上向きの動作で、後者が１８０°を超えたところでは、共通のクランクカムシャフト(9)2番目のクランク(11)に対する接続棒で突出したことを表す。
【００８７】
左から右に、図表の図７は、3番目のシリンダー室(15)ピストン室(1)が、ピストン室(1)が、ピストン室(1)が、シリンダー室の内部領域(15)とディスクバルブ(2)と(17)からの水槽(7)の液体物質内にある圧搾の比重流体水力学的張力内から浸透する相互作用の動作の上向きをほぼ完了している、３６０°トラック円に向かった上向きの動作で３６０°にほぼ近づいている最後が、ピストン室水力比重エンジンの技術的な工学を構成する現在の発明方法にしたがって、作用順序で1次期間のピストン室の相互作用の動作がその完了に近いところで、まだ開いている、共通のクランクカムシャフト(9)3番目のクランク(11)に対する接続棒で突出していることを表す。
【００８８】
左から右に、図表の図７は、4番目のシリンダー室(15)ピストン室(1)が、ピストン室(1)が、シリンダー室の内部領域(15)とディスクバルブ(2)と(17)からの水槽(7)の液体物質内にある圧搾の比重流体水力学的張力内から浸透を終了するピストン室(1)が、１８０°トラック円に向かった上向きの動作で１８０°にほぼ近づいている最後が、ピストン室水力比重エンジンの技術的な工学を構成する現在の発明方法にしたがって、作用順序で1次期間のピストン室の相互作用の動作がその完了に近いところで、まだ閉じている、共通のクランクカムシャフト(9)3番目のクランク(11)に対する接続棒で突出していることを表す。
【００８９】
したがって、単一クランクカムシャフト(9)を３６０度回転させる、2つの機関の4つのピストン室の完全相互作用の動作は、2つのペアのピストン室にあるシリンダー室波動変換分離装置(15)で実現し、そこでは4つのピストン室(1)は4つのクランク(11)、4つの接続棒(4)および4つのカム(12)の単一クランクカムシャフトに対して突出し、これらが4つのピストンポンプ(14)を有効にする。次に、これらが4つのバルブギア(3)とバルブギア(17)、単一の容器クランクカムシャフト室(8)および単一水槽(7)を有効にし、そこで、4つのピストン室のシリンダー室(15)で利用できる、圧搾の比重流体水力学的張力を生成する液体物質が保持される。
【００９０】
図表の図７が示すように、4重シリンダーピストン室水力比重エンジンの例はマルチシリンダーピストン室水力比重エンジンとなることができる。その原理は、ピストン室のシリンダー室(15)を使用するほど、ピストン室水力比重エンジンの機能は改善されることである。その理由は、この方法で、上述のピストン室のシリンダー室が多くなると、さらに圧搾の流体水力学的張力内の液体真空領域を常時生成および保持できるようになるからである。したがって、液体の真空を埋める比重流体水力学作用の生成された力が常に停止しないことになる。したがって、重力にあわせて、また重力に対して水力比重押出力が作用し、ピストン室(1)が停止することなく、シリンダー室(15)内から圧搾の比重流体水力学的張力内外で相互作用し続け、また、上述のピストン室(1)の相互作用をクランクカムシャフトの同軸回転作用強度に変換するクランクカムシャフト(9)は停止しないままになり、環境が安全と想定される中ではタもうｋ的に使用できる。製品が環境や運動力生産集約度を汚したり濁らせたりする害がないことは、1キロからメガトン力まで測定できるので、それはピストン室のシリンダー室(15)のサイズ、ピストン室(1)数およびその数量、液体物質の比重流体水力学活用に比例している。さらに、ピストン室水重量エンジンのマルチピストン室のシリンダー室は、単一ピストン室シリンダー室と比べて、先述のほうが2番目が、水槽の液体物質の圧搾の比重流体水力学的張力が専用に使用する必要がある場合に直面する難しい問題を解決する。シリンダー室(15)内の2つの期間のピストン室(1)の相互作用、水槽(7)内の液体物質レベルは変動し、機械システムに影響を与える比重流体水力学誤作動問題の原因となる。
【００９１】
ピストン室のシリンダー室(15)が使用されるほど、ピストン室水力比重エンジンのポテンシャルの機能は強化される。
【００９２】
ピストン室水力比重エンジンのピストン室のシリンダー室の数は、2つのクランクカムシャフトをギアホイールに相互接続することで、あわせてペアで作用順序で調整できるので、増加可能である。
【００９３】
図表構成の図８は、水槽(7)内のみに含まれる水力比重流体水力学圧搾の大きな停滞液体物質を利用する現在の発明の方法を適用する共通のクランクシャフトと協調する4つの同様のピストン室水力比重エンジンを表す。
【００９４】
図表の図９は、海水、池、湖等の自然流域の水力比重流体水力学圧搾の大きな停滞液体物質を利用する現在の発明の方法を適用する共通のクランクシャフトと協調する4つのピストン室(1)のシリンダー室(15)のピストン室水力比重エンジンの例をを表し、そこでは、水槽(7)の底部パネルを、水槽(7)が自然流域の中で自由な水のレベルを安定する手段となるので、その内部領域内の不要な物質や水棲生命の侵入を防ぐことができるグリルパネルと交換した。
【００９５】
技術的な工学の方法にしたがって、ピストン室水力比重エンジン、容器クランクカムシャフト室(8)は現在、クランクカムシャフト室およびピストン室水力比重エンジンの浮動台の役割を果たし、そこでは水槽(7)のフレームおよびパネルは現在、圧搾の自由な水力比重流体水力学な張力の変位トンと軽い変位を均衡できるようになっている。
【００９６】
図表の図９は、圧搾の海や湖にお停滞水の比重流体水力学的張力を利用する4つのピストン室(1)シリンダー室(15)のピストン室水力比重エンジンの例を表し、そこでは、深水では、ピストン室水力比重エンジンが深部まで到達できず、したがって、ホーサー(27)チェーンまたはワイヤホーサーとホーサー間の安全が確保されない。また、ホーサースプリングは、平衡重力を接合するのに使用し、深水の深部に配置して、ピストン室水力比重エンジンを固定する。
【００９７】
ピストン室水力比重エンジンの技術的な工学から構成される方法の現在の発明の革新は、組込ピストン水ポンプ付き電気モーター、または電気モーター付きピストン水モーター、あるいは燃焼ピストンモーター付きピストン油圧モーター、または油圧ピストンモーターを組み合わせたピストンポンプの実施形態を例として上げ、比較できる。
【００９８】
内燃ピストンモーター、水蒸気ピストンモーター、または電気モーター、動物や人の手によるものについてはよく知られているので、油圧ポンプを人は有効化でき、それが池、海や湖の停滞水を汲み上げ、他の場所に給送できる。ピストン室水力比重エンジンについては、まったく反対で、もっと正確には、ピストン水ポンプに力を加える電気モーターの代わりに、シリンダー内でピストンを相互作用させ、停滞水を他のところに給送するか、またはそれが難しい場合、高い場所から水を降下させてピストンを稼働させる可動水を利用するピストン水モーターの代わりに、 後者が連続でクランクシャフトを回転させ、また、クランクシャフトはピストンポンプのピストンを回転させ、停滞水を汲み上げ、他のところに給送し、ピストン室水力比重エンジンの技術的な工学を構成する、ピストン室水力比重エンジンの現在の発明方法は大きな停滞水の上述の水力比重流体水力学圧搾の力によって、呪術のピストン室が、水ポンプのピストンのように、シリンダー室内で相互作用できるようにする。また、停滞水を汲み上げる代わりに、反対モードで、停滞水の比重流体水力学圧搾の内部張力はピストン室を相互作用させ、クランクシャフトを回転させ、次に発電機に水電気を生成させるか、または他の形態の作業を行うが、これは各分野の専門家がこれまで不可能としてきたことである。
【符号の説明】
【００９９】
図に含まれるアクセサリの列挙用語説明
１．ピストン室 (水力比重のオプレッサーおよびリアクター)
２．ピストン室バルブ （ピストン油圧ギア付きディスクバルブ)
３．ピストン室のバルブを有効にする油圧ギア
４．ピストン室接続棒 (ピストン室をクランクカムシャフトに接続)
５．ピストン室のピップう丈夫と接続棒土台
６．ピストン室の接続棒ぢ第のピンシャフト
７．圧搾の比重流体水力学的張力の水槽蓄積器
８．容器クランクカムシャフト室
９．クランクカムシャフト
１０． ベアリング付きクランクカムシャフト土台
１１．クランクカムシャフトのクランク
１２．クランクカムシャフトのカム
１３．バルブ室バルブギアに対するピストンポンプの油圧パイプ
１４．油圧または空気ピストンポンプ
１５．圧搾の重力油圧張力のシリンダー室波動変換分離装置
１６．シリンダー室のバルブ室
１７．バルブ室のピストンバルブ
１８．バルブ室のピストンバルブを有効にする油圧ギア
１９．ピストン室によるシリンダー室の内部圧迫液の導管
２０．ピストンポンプからピストン室のディスクバルブギアへの油圧パイプ
２１．クランクカムシャフトの軌道直径
２２．クランクカムシャフトのクランク軌道の１８０°地点
２３．クランクカムシャフトのクランク軌道の３６０°地点
２４．T.D.C.＝上部差し込み側が水槽(7)の液体レベルと導管(19)の上部端と水平になっているピストン室(Ｉ)の相互作用の中心上部
２５．B.D.C.＝シリンダー室(15)の内部トランク側に密封されている底部トランク側がシリンダー室のトランクに密封固定されている導管(19)底部の他の側の上に少し達しているピストン室(Ｉ)の相互作用の底部中心
２６．自然流域の表面でピストン室水力比重エンジンを支えるホ―サー
２７．ホ―サーの均衡および安定重力
２８．抵抗円滑ホ―サースプリングの均衡
２９．クランクカムシャフト取外可能上部カバー
３０．水槽の保護グリル
【図１ａ】
2012523526.tif 000003
【図１Ｂ】
2012523526.tif 000004
【図２】
2012523526.tif 000005
【図３】
2012523526.tif 000006
【図４】
2012523526.tif 000007
【図５】
2012523526.tif 000008
【図６】
2012523526.tif 000009
【図７】
2012523526.tif 000010
【図８】
2012523526.tif 000011
【図９】
2012523526.tif 000012
【国際調査報告】
2012523526.tif 000013
2012523526.tif 000014